(57)【要約】【課題】ステレオ感を保ったまま音源の補強効果を与えることによって、音像イメージを強化することができる初期反射音を生成可能な音響処理装置および音響処理方法を提供すること。【解決手段】本発明の実施形態に係る音響処理装置１は、ステレオ信号であるオーディオ信号が入力され、右チャンネルおよび左チャンネルのオーディオ信号を合成してモノラル信号としたオーディオ信号から空間反射音を生成するとともに、ステレオ信号であるオーディオ信号から初期反射音を生成することができる。このように、初期反射音をステレオ信号であるオーディオ信号から生成することにより、ステレオ感を保ったまま音源の補強効果を与えることによって、音像イメージを強化することができ、モノラル信号としたオーディオ信号から生成するよりも、厚みのある艶やかな音を得ることができる。【選択図】図１
2009134128.tif 000002
【特許請求の範囲】
【請求項１】
第１のオーディオ信号および第２のオーディオ信号が入力される入力手段と、
前記入力手段から入力された第１のオーディオ信号を予め設定された増幅率で増幅する第１の入力信号増幅手段と、
前記入力手段から入力された第２のオーディオ信号を予め設定された増幅率で増幅する第２の入力信号増幅手段と、
入力端に入力されるオーディオ信号と前記第１の入力信号増幅手段によって増幅された第１のオーディオ信号とを加算する第１の加算手段と、
入力端に入力されるオーディオ信号と前記第２の入力信号増幅手段によって増幅された第２のオーディオ信号とを加算する第２の加算手段と、
前記入力手段から入力された第１のオーディオ信号を予め設定された遅延時間で遅延させ、当該遅延された第１のオーディオ信号を予め設定された第１の増幅率で増幅して前記第１の加算手段の入力端に出力するとともに、当該遅延された第１のオーディオ信号を予め設定された第２の増幅率で増幅して前記第２の加算手段の入力端に出力する１以上の第１の初期遅延増幅手段を有する初期反射音生成手段と、
前記第１の加算手段において加算済みのオーディオ信号を放音手段に供給する第１の供給手段と、
前記第２の加算手段において加算済みのオーディオ信号を前記放音手段とは異なる放音手段に供給する第２の供給手段と
を具備することを特徴とする音響処理装置。
【請求項２】
前記初期反射音生成手段は、
前記入力手段から入力された第２のオーディオ信号を予め設定された遅延時間で遅延させ、当該遅延された第２のオーディオ信号を予め設定された増幅率で増幅して前記第１の加算手段の入力端に出力するとともに、当該遅延された第２のオーディオ信号を予め設定された増幅率で増幅して前記第２の加算手段の入力端に出力する１以上の第２の初期遅延増幅手段
をさらに有することを特徴とする請求項１に記載の音響処理装置。
【請求項３】
前記第１の初期遅延増幅手段および前記第２の初期遅延増幅手段に設定される遅延時間は、６０ミリ秒以下である
ことを特徴とする請求項２に記載の音響処理装置。
【請求項４】
前記入力手段に入力された第１のオーディオ信号と第２のオーディオ信号とを加算して合成オーディオ信号として出力する合成手段と、
前記合成手段から出力された合成オーディオ信号を予め設定された遅延時間で遅延させ、当該遅延された合成オーディオ信号を予め設定された増幅率で増幅して前記第１の加算手段の入力端に出力する１以上の第１の空間遅延増幅手段と、前記合成手段から出力された合成オーディオ信号を予め設定された遅延時間で遅延させ、当該遅延された合成オーディオ信号を予め設定された増幅率で増幅して前記第２の加算手段の入力端に出力する１以上の第２の空間遅延増幅手段とを有する空間反射音生成手段と
をさらに具備することを特徴とする請求項１乃至請求項３のいずれかに記載の音響処理装置。
【請求項５】
前記第１の空間遅延増幅手段および前記第２の空間遅延増幅手段に設定される遅延時間は、前記第１の初期遅延増幅手段に設定される遅延時間に設定される遅延時間より長い
ことを特徴とする請求項４に記載の音響処理装置。
【請求項６】
入力端に入力されるオーディオ信号を加算して第３のオーディオ信号として出力する第３の加算手段と、
入力端に入力されるオーディオ信号を加算して第４のオーディオ信号として出力する第４の加算手段と、
前記第３のオーディオ信号および前記第４のオーディオ信号が入力され、前記第３のオーディオ信号および前記第４のオーディオ信号の位相を調整し、前記入力された第３のオーディオ信号に対して、前記位相を調整済みの第４のオーディオ信号を加算して前記第１の加算手段の入力端に出力するとともに、前記入力された第４のオーディオ信号に対して、前記位相を調整済みの第３のオーディオ信号を加算して前記第２の加算手段の入力端に出力するクロストークキャンセル手段と
をさらに具備し、
前記空間反射音生成手段は、
前記合成手段から出力された合成オーディオ信号を予め設定された遅延時間で遅延させ、当該遅延された合成オーディオ信号を予め設定された増幅率で増幅して前記第３の加算手段の入力端に出力する１以上の第３の空間遅延増幅手段と、前記合成手段から出力された合成オーディオ信号を予め設定された遅延時間で遅延させ、当該遅延された合成オーディオ信号を予め設定された増幅率で増幅して前記第４の加算手段の入力端に出力する第４の空間遅延増幅手段とをさらに有する
ことを特徴とする請求項４または請求項５に記載の音響処理装置。
【請求項７】
モノラルオーディオ信号が入力される第２の入力手段をさらに具備し、
前記合成手段は、前記第２の入力手段から入力されるモノラルオーディオ信号をさらに加算して出力する
ことを特徴とする請求項４乃至請求項６のいずれかに記載の音響処理装置。
【請求項８】
前記第１の加算手段において加算済みのオーディオ信号および前記第２の加算手段において加算済みのオーディオ信号が入力され、当該入力された各オーディオ信号に対してダイナミックレンジを補正するダイナミックレンジコントロール手段をさらに具備し、
前記第１の供給手段は、前記第１の加算手段で加算済みであって、前記ダイナミックレンジコントロール手段において補正済みのオーディオ信号を放音手段に供給し、
前記第２の供給手段は、前記第２の加算手段で加算済みであって、前記ダイナミックレンジコントロール手段において補正済みのオーディオ信号を前記放音手段とは異なる放音手段に供給する
ことを特徴とする請求項１乃至請求項７のいずれかに記載の音響処理装置。
【請求項９】
前記ダイナミックレンジコントロール手段によるダイナミックレンジの補正の態様に基づいて、前記第１の初期遅延増幅手段に設定される第１の増幅率と第２の増幅率とを補正する補正手段
をさらに具備することを特徴とする請求項８に記載の音響処理装置。
【請求項１０】
第１のオーディオ信号および第２のオーディオ信号が入力される入力過程と、
前記入力過程において入力された第１のオーディオ信号を予め設定された増幅率で増幅する第１の入力信号増幅過程と、
前記入力過程において入力された第２のオーディオ信号を予め設定された増幅率で増幅する第２の入力信号増幅過程と、
入力端に入力されるオーディオ信号と前記第１の入力信号増幅過程によって増幅された第１のオーディオ信号とを加算する第１の加算過程と、
入力端に入力されるオーディオ信号と前記第２の入力信号増幅過程によって増幅された第２のオーディオ信号とを加算する第２の加算過程、
前記入力過程において入力された第１のオーディオ信号を予め設定された遅延時間で遅延させ、当該遅延された第１のオーディオ信号を予め設定された第１の増幅率で増幅して前記第１の加算過程の入力端に入力されるオーディオ信号とするとともに、当該遅延された第１のオーディオ信号を予め設定された第２の増幅率で増幅して前記第２の加算過程の入力端に入力されるオーディオ信号とする第１の初期遅延増幅過程を１以上有する初期反射音生成過程と、
前記第１の加算過程において加算済みのオーディオ信号を放音手段に供給する第１の供給過程と、
前記第２の加算過程において加算済みのオーディオ信号を前記放音手段とは異なる放音手段に供給する第２の供給過程と
を備えることを特徴とする音響処理方法。
【発明の詳細な説明】
【技術分野】
【０００１】
本発明は、オーディオ信号の音響処理により音像イメージを強化する技術に関する。
【背景技術】
【０００２】
音楽の再生において、放音すべきオーディオ信号に音響処理を施すことにより、様々な音場効果を付与することが要求されている。このような音場効果の付与の一例として、受聴者の前方左右および後方左右の４つのスピーカを設け、各スピーカから放音させるオーディオ信号に音響処理を行って放音することにより、様々な方向からの反射音を再現するものがあった。また、このスピーカを前方左右の２つのみとした場合においても、同様な音場効果を付与する技術も開示されている（例えば、特許文献１）。
【特許文献１】特開平６−２６１３９８号公報
【発明の開示】
【発明が解決しようとする課題】
【０００３】
特許文献１に記載の技術によって、受聴者の前方左右２つのスピーカによって様々な音場効果を付与することができるようになったが、オーディオ信号がステレオであっても、右チャンネル、左チャンネルを合成したモノラル信号に変換した後に、音響処理を行って音場効果を付与していたため、初期反射音を再現する際には、ステレオ感が失われ、音源の補強効果、立体的効果が失われることがあった。
【０００４】
本発明は、上述の事情に鑑みてなされたものであり、ステレオ感を保ったまま音源の補強効果を与えることによって、音像イメージを強化することができる初期反射音を生成可能な音響処理装置および音響処理方法を提供することを目的とする。
【課題を解決するための手段】
【０００５】
上述の課題を解決するため、本発明は、第１のオーディオ信号および第２のオーディオ信号が入力される入力手段と、前記入力手段から入力された第１のオーディオ信号を予め設定された増幅率で増幅する第１の入力信号増幅手段と、前記入力手段から入力された第２のオーディオ信号を予め設定された増幅率で増幅する第２の入力信号増幅手段と、入力端に入力されるオーディオ信号と前記第１の入力信号増幅手段によって増幅された第１のオーディオ信号とを加算する第１の加算手段と、入力端に入力されるオーディオ信号と前記第２の入力信号増幅手段によって増幅された第２のオーディオ信号とを加算する第２の加算手段と、前記入力手段から入力された第１のオーディオ信号を予め設定された遅延時間で遅延させ、当該遅延された第１のオーディオ信号を予め設定された第１の増幅率で増幅して前記第１の加算手段の入力端に出力するとともに、当該遅延された第１のオーディオ信号を予め設定された第２の増幅率で増幅して前記第２の加算手段の入力端に出力する１以上の第１の初期遅延増幅手段を有する初期反射音生成手段と、前記第１の加算手段において加算済みのオーディオ信号を放音手段に供給する第１の供給手段と、前記第２の加算手段において加算済みのオーディオ信号を前記放音手段とは異なる放音手段に供給する第２の供給手段とを具備することを特徴とする音響処理装置を提供する。
【０００６】
また、別の好ましい態様において、前記初期反射音生成手段は、前記入力手段から入力された第２のオーディオ信号を予め設定された遅延時間で遅延させ、当該遅延された第２のオーディオ信号を予め設定された増幅率で増幅して前記第１の加算手段の入力端に出力するとともに、当該遅延された第２のオーディオ信号を予め設定された増幅率で増幅して前記第２の加算手段の入力端に出力する１以上の第２の初期遅延増幅手段をさらに有してもよい。
【０００７】
また、別の好ましい態様において、前記第１の初期遅延増幅手段および前記第２の初期遅延増幅手段に設定される遅延時間は、６０ミリ秒以下であってもよい。
【０００８】
また、別の好ましい態様において、前記入力手段に入力された第１のオーディオ信号と第２のオーディオ信号とを加算して合成オーディオ信号として出力する合成手段と、前記合成手段から出力された合成オーディオ信号を予め設定された遅延時間で遅延させ、当該遅延された合成オーディオ信号を予め設定された増幅率で増幅して前記第１の加算手段の入力端に出力する１以上の第１の空間遅延増幅手段と、前記合成手段から出力された合成オーディオ信号を予め設定された遅延時間で遅延させ、当該遅延された合成オーディオ信号を予め設定された増幅率で増幅して前記第２の加算手段の入力端に出力する１以上の第２の空間遅延増幅手段とを有する空間反射音生成手段とをさらに具備してもよい。
【０００９】
また、別の好ましい態様において、前記第１の空間遅延増幅手段および前記第２の空間遅延増幅手段に設定される遅延時間は、前記第１の初期遅延増幅手段に設定される遅延時間に設定される遅延時間より長くてもよい。
【００１０】
また、別の好ましい態様において、入力端に入力されるオーディオ信号を加算して第３のオーディオ信号として出力する第３の加算手段と、入力端に入力されるオーディオ信号を加算して第４のオーディオ信号として出力する第４の加算手段と、前記第３のオーディオ信号および前記第４のオーディオ信号が入力され、前記第３のオーディオ信号および前記第４のオーディオ信号の位相を調整し、前記入力された第３のオーディオ信号に対して、前記位相を調整済みの第４のオーディオ信号を加算して前記第１の加算手段の入力端に出力するとともに、前記入力された第４のオーディオ信号に対して、前記位相を調整済みの第３のオーディオ信号を加算して前記第２の加算手段の入力端に出力するクロストークキャンセル手段とをさらに具備し、前記空間反射音生成手段は、前記合成手段から出力された合成オーディオ信号を予め設定された遅延時間で遅延させ、当該遅延された合成オーディオ信号を予め設定された増幅率で増幅して前記第３の加算手段の入力端に出力する１以上の第３の空間遅延増幅手段と、前記合成手段から出力された合成オーディオ信号を予め設定された遅延時間で遅延させ、当該遅延された合成オーディオ信号を予め設定された増幅率で増幅して前記第４の加算手段の入力端に出力する第４の空間遅延増幅手段とをさらに有してもよい。
【００１１】
また、別の好ましい態様において、モノラルオーディオ信号が入力される第２の入力手段をさらに具備し、前記合成手段は、前記第２の入力手段から入力されるモノラルオーディオ信号をさらに加算して出力してもよい。
【００１２】
また、別の好ましい態様において、前記第１の加算手段において加算済みのオーディオ信号および前記第２の加算手段において加算済みのオーディオ信号が入力され、当該入力された各オーディオ信号に対してダイナミックレンジを補正するダイナミックレンジコントロール手段をさらに具備し、前記第１の供給手段は、前記第１の加算手段で加算済みであって、前記ダイナミックレンジコントロール手段において補正済みのオーディオ信号を放音手段に供給し、前記第２の供給手段は、前記第２の加算手段で加算済みであって、前記ダイナミックレンジコントロール手段において補正済みのオーディオ信号を前記放音手段とは異なる放音手段に供給してもよい。
【００１３】
また、別の好ましい態様において、前記ダイナミックレンジコントロール手段によるダイナミックレンジの補正の態様に基づいて、前記第１の初期遅延増幅手段に設定される第１の増幅率と第２の増幅率とを補正する補正手段をさらに具備してもよい。
【００１４】
また、本発明は、第１のオーディオ信号および第２のオーディオ信号が入力される入力過程と、前記入力過程において入力された第１のオーディオ信号を予め設定された増幅率で増幅する第１の入力信号増幅過程と、前記入力過程において入力された第２のオーディオ信号を予め設定された増幅率で増幅する第２の入力信号増幅過程と、入力端に入力されるオーディオ信号と前記第１の入力信号増幅過程によって増幅された第１のオーディオ信号とを加算する第１の加算過程と、入力端に入力されるオーディオ信号と前記第２の入力信号増幅過程によって増幅された第２のオーディオ信号とを加算する第２の加算過程、前記入力過程において入力された第１のオーディオ信号を予め設定された遅延時間で遅延させ、当該遅延された第１のオーディオ信号を予め設定された第１の増幅率で増幅して前記第１の加算過程の入力端に入力されるオーディオ信号とするとともに、当該遅延された第１のオーディオ信号を予め設定された第２の増幅率で増幅して前記第２の加算過程の入力端に入力されるオーディオ信号とする第１の初期遅延増幅過程を１以上有する初期反射音生成過程と、前記第１の加算過程において加算済みのオーディオ信号を放音手段に供給する第１の供給過程と、前記第２の加算過程において加算済みのオーディオ信号を前記放音手段とは異なる放音手段に供給する第２の供給過程とを備えることを特徴とする音響処理方法を提供する。
【発明の効果】
【００１５】
本発明によれば、ステレオ感を保ったまま音源の補強効果を与えることによって、音像イメージを強化することができる初期反射音を生成可能な音響処理装置および音響処理方法を提供することができる。
【発明を実施するための最良の形態】
【００１６】
以下、本発明の一実施形態について説明する。
【００１７】
＜実施形態＞
本発明の実施形態に係る音響処理装置１は、入力されるオーディオ信号に対して、所定の音響処理を行い、外部接続されるスピーカに供給する。音響処理装置１について図１を用いて説明する。図１は、音響処理装置１の構成を示すブロック図である。ここで、外部接続されるスピーカは、右チャンネル用のスピーカ２−Ｒ、および左チャンネル用のスピーカ２−Ｌである。
【００１８】
信号入力部１０は、外部からオーディオ信号Ｓｉｎ、ＳＣが入力される。オーディオ信号Ｓｉｎは、２チャンネルのステレオ信号であり、右チャンネル用のオーディオ信号をオーディオ信号ＳＲ（第１のオーディオ信号）といい、左チャンネル用のオーディオ信号をオーディオ信号ＳＬ（第２のオーディオ信号）という。また、オーディオ信号ＳＣ（モノラルオーディオ信号）は１チャンネルのモノラル信号であり、例えばマイクロフォンなどの収音に基づいて生成されたオーディオ信号である。
【００１９】
信号入力部１０は、入力されるオーディオ信号Ｓｉｎについて、各チャンネルに分離したオーディオ信号ＳＲ、ＳＬを初期反射音生成部２０および空間反射音生成部３０に出力する。また入力されるオーディオ信号ＳＣについては、空間反射音生成部３０に出力する。なお、オーディオ信号ＳＣは、必ずしも信号入力部１０に入力されなくてもよい。
【００２０】
初期反射音生成部２０は、入力されるオーディオ信号ＳＲ、ＳＬに対して、初期反射音を付加した右チャンネル用のオーディオ信号ＰＲ、左チャンネル用のオーディオ信号ＰＬを生成して出力する。初期反射音生成部２０の詳細の構成について、図２を用いて説明する。
【００２１】
初期反射音生成部２０は、遅延部２１０と増幅部２２０から構成されるタップを有している。各タップは、オーディオ信号ＳＲまたはオーディオ信号ＳＬが入力され、右チャンネル用のオーディオ信号と左チャンネル用のオーディオ信号を出力する。そして、各タップから出力された右チャンネル用のオーディオ信号と、増幅部２５０−Ｒにおいて予め設定された増幅率で増幅されたオーディオ信号ＳＲとは、加算部２３０−Ｒにおいて加算され、オーディオ信号ＰＲとして出力される。一方、各タップから出力された左チャンネル用のオーディオ信号と、増幅部２５０−Ｌにおいて予め設定された増幅率で増幅されたオーディオ信号ＳＬとは、加算部２３０−Ｌにおいて加算され、オーディオ信号ＰＬとして出力される。
【００２２】
遅延部２１０−Ｒ１は、入力されるオーディオ信号ＳＲに対して、予め設定された遅延時間で遅延処理を行う。そして、遅延部２１０−Ｒ１において遅延されたオーディオ信号は、増幅部２２０−Ｒ１の増幅回路２２１−Ｒ１Ｒおよび増幅回路２２１−Ｒ１Ｌにおいて、各々予め設定された増幅率で増幅される。ここで、増幅回路２２１−Ｒ１Ｒにおいて増幅されたオーディオ信号は、右チャンネル用オーディオ信号として加算部２３０−Ｒに出力される。一方、増幅回路２２１−Ｒ１Ｌにおいて増幅されたオーディオ信号は、左チャンネル用オーディオ信号として加算部２３０−Ｌに出力される。
【００２３】
このようにして増幅部２２０−Ｒ１から出力された右チャンネル用オーディオ信号をスピーカ２−Ｒから放音させ、左チャンネル用オーディオ信号をスピーカ２−Ｌから放音させた場合の音像について図３を用いて説明する。図３は、受聴者３の正面方向の左右に設けられたスピーカ２−Ｌ、２−Ｒからの放音による音像の説明図である。
【００２４】
受聴者３は、この放音により音像４からオーディオ信号ＳＲが放音されたように知覚する。受聴者３から音像４までの距離ｄは、遅延部２１０−Ｒ１において設定された遅延時間に応じて変化し、遅延時間が長いほど遠くなる。また、音像４の方向αは、増幅回路２２１−Ｒ１Ｒに設定された増幅率Ａと、増幅回路２２１−Ｒ１Ｌに設定された増幅率Ｂとの比により変化し、増幅率Ａ：増幅率Ｂ＝１：１の場合には、受聴者３の正面方向に音像４が位置する。そして、増幅率Ａの比率が大きくなれば、音像４は受聴者３から見て右方向すなわち、スピーカ２−Ｒ側に移動し、増幅率Ｂの比率が大きくなれば、音像４は受聴者３から見て左方向すなわち、スピーカ２−Ｌ側に移動することになる。
【００２５】
ここで、初期反射音生成部２０においては初期反射音を再現するものであり、遅延部２１０および増幅部２２０において処理されていないオーディオ信号ＳＲ、ＳＬの放音による音像と、遅延部２１０−Ｒ１および増幅部２２０−Ｒ１において処理されたオーディオ信号の放音による音像が分離しない一体感を持たせた音像とするために、遅延部２１０−Ｒ１に設定される遅延時間は、６０ミリ秒以下にすることが望ましい。初期反射音生成部２０の処理により得られる音像が一体感を持つことにより、厚みのある艶やかな音を得ることができる。
【００２６】
図２に戻って説明を続ける。遅延部２１０−Ｒ２および増幅部２２０−Ｒ２は、上述した遅延部２１０−Ｒ１および増幅部２２０−Ｒ１と同様であるため説明を省略する。このように、本実施形態においては、オーディオ信号ＳＲが入力されるタップが２つ存在する。すなわち、オーディオ信号ＳＲを放音する音像が２つ存在することになる。この音像が重複しないように、通常、遅延部２１０−Ｒ１に設定される遅延時間が遅延部２１０−Ｒ２に設定される遅延時間とは異なる時間とする。また、増幅部２２０−Ｒ１の増幅回路２２１−Ｒ１Ｒに設定される増幅率と増幅回路２２１−Ｒ１Ｌに設定される増幅率との比が、増幅部２２０−Ｒ２の増幅回路２２１−Ｒ２Ｒに設定される増幅率と増幅回路２２１−Ｒ２Ｌに設定される増幅率との比とは異なる比とすることにより音像を定位させる。
【００２７】
また、遅延部２１０−Ｌ１および増幅部２２０−Ｌ１のタップ、遅延部２１０−Ｌ２および増幅部２２０−Ｌ２のタップについても、上述した遅延部２１０−Ｒ１および増幅部２２０−Ｒ１とは、入力されるオーディオ信号がオーディオ信号ＳＬであること以外、同様な構成であるため説明を省略する。このようにして、初期反射音生成部２０は、各タップ、増幅部２５０−Ｌ、２５０−Ｒから加算部２３０−Ｒ、２３０−Ｌに出力されたオーディオ信号を各々加算し、オーディオ信号ＰＲ、ＰＬを出力する。
【００２８】
このオーディオ信号ＰＲ、ＰＬをそれぞれスピーカ２−Ｒ、２−Ｌから放音させると、通常のオーディオ信号ＳＲ、ＳＬにより得られる音像に加えて、オーディオ信号ＳＲに対応する音像およびオーディオ信号ＳＬに対応する音像がそれぞれ２つ、計４つの音像が得られるようになる。なお、本実施形態においては、計４つのタップを用いて４つの音像を得ていたが、少なくとも１つのタップがあればよく、例えば、遅延部２１０−Ｒ１および増幅部２２０−Ｒ１のタップだけでもよい。逆に、さらに多くのタップを用いて音像を増やすようにしてもよい。以上が、初期反射音生成部２０の説明である。
【００２９】
図１に戻って説明を続ける。空間反射音生成部３０は、入力されるオーディオ信号ＳＲ、ＳＬ、ＳＣを加算して合成したオーディオ信号に対して空間反射音を付加し、前方右チャンネル用のオーディオ信号ＦＲ、前方左チャンネル用のオーディオ信号ＦＬ、後方右チャンネル用のオーディオ信号ＲＲ（第３のオーディオ信号）、後方左チャンネル用のオーディオ信号ＲＬ（第４のオーディオ信号）を生成して出力する。空間反射音生成部３０の詳細の構成について、図４を用いて説明する。
【００３０】
加算部３１０は、オーディオ信号ＳＲ、ＳＬ、ＳＣが入力され、これらを加算して合成したオーディオ信号（以下、合成オーディオ信号という）を遅延増幅部３２０−ＦＲ、３２０−ＦＬ、３２０−ＲＲ、３２０−ＲＬに出力する。
【００３１】
遅延増幅部３２０−ＦＲは、遅延回路３２１−ＦＲと増幅回路３２２−ＦＲから構成されるタップを複数有している。各タップは、合成オーディオ信号が入力され、各タップから出力されたオーディオ信号が加算部３２３−ＦＲにおいて加算され、オーディオ信号ＦＲとして出力される。なお、このタップは必ずしも複数である必要は無く、１以上であればよい。
【００３２】
遅延回路３２１−ＦＲは、入力される合成オーディオ信号に対して、予め設定された遅延時間で遅延処理を行う。そして、遅延回路３２１−ＦＲにおいて遅延された合成オーディオ信号は、増幅回路３２２−ＦＲにおいて、各々予め設定された増幅率で増幅され、加算部３２３−ＦＲに出力される。そして、加算部３２３−ＦＲは、遅延増幅部３２０−ＦＲにおける各タップから出力された合成オーディオ信号を加算して、オーディオ信号ＦＲとして出力する。
【００３３】
他の遅延増幅部３２０−ＦＬ、３２０−ＲＲ、３２０−ＲＬについては、出力するオーディオ信号がそれぞれオーディオ信号ＦＬ、ＲＲ、ＲＬであること以外は、遅延増幅部３２０−ＦＲと同様な構成であるため説明を省略する。仮に、受聴者の前方右側、前方左側、後方右側、後方左側にスピーカを設置し、それぞれのスピーカからこのようにして生成されたオーディオ信号ＦＲ、ＦＬ、ＲＲ、ＲＬを放音させると、受聴者は様々な方向からの空間反射音として知覚することができる。ここで、受聴者の正面からの反射音は、オーディオ信号ＦＲ、ＦＬの放音によって再現され、後方からの反射音はオーディオ信号ＲＲ、ＲＬ、左側からの反射音はオーディオ信号ＦＬ、ＲＬ、右側からの反射音はオーディオ信号ＦＲ、ＲＲの放音によって、それぞれ再現される。なお、空間反射音生成部３０においては再現する空間反射音と、初期反射音生成部２０において再現する初期反射音が重複しないようにするため、空間反射音生成部３０における各遅延回路３２１に設定される遅延時間は、初期反射音生成部２０における遅延部２１０に設定される遅延時間より長いものとしてもよい。
【００３４】
図１に戻って説明を続ける。クロストークキャンセル部４０は、空間反射音生成部３０において生成されたオーディオ信号ＲＲ、ＲＬが入力され、入力されたオーディオ信号ＲＲ、ＲＬに対して両耳間のクロストークをキャンセルする処理を行うことにより、受聴者の正面方向のスピーカ２−Ｒ、２−Ｌからの放音においても後方感が得られるようにしたオーディオ信号ＣＲ、ＣＬを出力する。クロストークキャンセル部４０の詳細の構成について、図５を用いて説明する。
【００３５】
遅延回路４１０−Ｒは、オーディオ信号ＲＲが入力され、予め設定された遅延時間で遅延処理を行い、位相を調整して概ね反転させ、パラメトリックイコライザ４２０−Ｒに出力する。そして、位相を調整されたオーディオ信号ＲＲは、パラメトリックイコライザ４２０−Ｒにおいて、予め設定された周波数特性の調整を行い、増幅回路４３０−Ｒにおいて、予め設定された増幅率で増幅を行い、加算部４４０−ＲＬに出力される。一方、オーディオ信号ＲＬは、増幅回路４３０−ＲＬにおいて、予め設定された増幅率で増幅され、加算部４４０−ＲＬに出力される。
【００３６】
加算部４４０−ＲＬは、増幅回路４３０−Ｒから出力された位相調整済みのオーディオ信号ＲＲと、増幅回路４３０−ＲＬから出力された増幅処理済みのオーディオ信号ＲＬとを加算して、オーディオ信号ＣＬとして出力する。
【００３７】
一方、遅延回路４１０−Ｌは、オーディオ信号ＲＬが入力され、予め設定された遅延時間で遅延処理を行い、位相を調整して概ね反転させ、パラメトリックイコライザ４２０−Ｌに出力する。そして、位相を調整されたオーディオ信号ＲＬは、パラメトリックイコライザ４２０−Ｌ、増幅回路４３０−Ｌを介して、加算部４４０−ＲＲに出力される。またオーディオ信号ＲＲは、増幅回路４３０−ＲＲにおいて、予め設定された増幅率で増幅され、加算部４４０−ＲＲに出力される。
【００３８】
加算部４４０−ＲＲは、増幅回路４３０−Ｌから出力された位相調整済みのオーディオ信号ＲＬと、増幅回路４３０−ＲＲから出力された増幅処理済みのオーディオ信号ＲＲとを加算して、オーディオ信号ＣＲとして出力する。このように、オーディオ信号ＣＲは、オーディオ信号ＲＲに対して、位相を調整済みのオーディオ信号ＲＬが加算されたオーディオ信号として出力され、オーディオ信号ＣＬは、オーディオ信号ＲＬに対して、位相を調整済みのオーディオ信号ＲＲが加算されたオーディオ信号として出力される。これにより、オーディオ信号ＣＲおよびオーディオ信号ＣＬを受聴者前方のスピーカ２−Ｒ、スピーカ２−Ｌから放音しても、クロストークがキャンセルされているから後方感のある放音とすることができる。以上がクロストークキャンセル部４０の構成の説明である。
【００３９】
図１に戻って説明を続ける。加算部５０−Ｒは、初期反射音生成部２０から出力されたオーディオ信号ＰＲ、空間反射音生成部３０から出力されたオーディオ信号ＦＲ、およびクロストークキャンセル部４０から出力されたオーディオ信号ＣＲが入力され、これらのオーディオ信号を加算してスピーカ２−Ｒに供給し、スピーカ２−Ｒから放音させる。
【００４０】
一方、加算部５０−Ｌは、初期反射音生成部２０から出力されたオーディオ信号ＰＬ、空間反射音生成部３０から出力されたオーディオ信号ＦＬ、およびクロストークキャンセル部４０から出力されたオーディオ信号ＣＬが入力され、これらのオーディオ信号を加算してスピーカ２−Ｌに供給し、スピーカ２−Ｌから放音させる。
【００４１】
このように、本発明の実施形態に係る音響処理装置１は、ステレオ信号であるオーディオ信号が入力され、右チャンネルおよび左チャンネルのオーディオ信号を合成してモノラル信号としたオーディオ信号から空間反射音を生成するとともに、ステレオ信号であるオーディオ信号から初期反射音を生成することができる。このように、初期反射音をステレオ信号であるオーディオ信号から生成することにより、ステレオ感を保ったまま音源の補強効果を与えることによって、音像イメージを強化することができ、モノラル信号としたオーディオ信号から生成するよりも、厚みのある艶やかな音を得ることができる。
【００４２】
以上、本発明の実施形態について説明したが、本発明は以下のように、様々な態様で実施可能である。
【００４３】
＜変形例１＞
上述した実施形態においては、初期反射音生成部２０の各タップにおける遅延部２１０、増幅部２２０に設定される遅延時間、増幅率は、予め設定されていたものとしたが、設定が変更できるようにしてもよい。この場合には、図１の破線で示したように、各タップにおける遅延部２１０、増幅部２２０に設定される遅延時間および増幅率（２つの増幅回路に対応する増幅率）と、タップとを対応付けて記憶するテーブルを、音響処理条件ごとに複数有する記憶部６０を設ければよい。このとき、増幅部２５０−Ｒ、２５０−Ｌに設定される増幅率についても、音響処理条件ごとに対応付けて記憶部６０に記憶させてもよい。そして、図示しない操作部の操作によって音響処理条件を決定すると、図示しない制御部は、当該音響処理条件のテーブルを記憶部６０から読み出して、各タップの遅延部２１０、増幅部２２０に対応する遅延時間、増幅率を設定すればよい。ここで、テーブルが示すタップは様々な数とすることができ、この数に応じて初期反射音生成部２０におけるタップの数を増減させればよい。このようにすれば、初期反射音の効果を操作部の操作によって様々な態様に変化させることができる。
【００４４】
なお、記憶部６０には、初期反射音生成部２０において用いられるテーブルだけでなく、空間反射音生成部３０において用いられるテーブルを記憶しておいてもよく、同様にして遅延時間、増幅率が設定されるようにすればよい。また、クロストークキャンセル部４０におけるパラメータについても、音響処理条件ごとに記憶部６０に記憶させておき、制御部によって設定されるようにしてもよい。
【００４５】
＜変形例２＞
上述した実施形態においては、空間反射音生成部３０における遅延増幅部３２０は、出力するオーディオ信号ごとに設けられ、各遅延増幅部３２０において複数のタップにより合成オーディオ信号を遅延させて、各タップからの出力を合成していた。空間反射音生成部３０の構成を初期反射音生成部２０における処理のように、各タップが各音像に対応するようにした構成としてもよい。この場合には、空間反射音生成部３０を図６に示すような構成とすればよい。以下、その構成について説明する。
【００４６】
遅延増幅部３５０−ＦＲＦＬは、加算部３１０から出力された合成オーディオ信号が入力され、オーディオ信号ＦＲとオーディオ信号ＦＬとを出力する。遅延回路３５１−ＦＲＦＬ、増幅回路３５２−ＦＲ、３５２−ＦＬによってタップが構成され、本変形例においては、遅延増幅部３５０−ＦＲＦＬは、２つのタップを有する。各タップにおける構成については、入力されるオーディオ信号が合成オーディオ信号であり、出力される信号がオーディオ信号ＦＲ、ＦＬであること以外は、上述した実施形態における初期反射音生成部２０におけるタップと同様であるため、その説明を省略する。
【００４７】
そして、各タップから出力されるオーディオ信号ＦＲは、加算部３５３−ＦＲで加算され、加算部３６０−ＦＲに出力される。一方、各タップから出力されるオーディオ信号ＦＬは、加算部３５３−ＦＬで加算され、加算部３６０−ＦＬに出力される。これにより、遅延増幅部３５０−ＦＲＦＬは、受聴者の正面方向すなわちスピーカ２−Ｒとスピーカ２−Ｌとの間の方向に音像を生成するオーディオ信号ＦＲ、ＦＬを生成する。
【００４８】
同様にして、遅延増幅部３５０−ＦＬＲＲは、加算部３１０から出力された合成オーディオ信号が入力され、オーディオ信号ＦＬとオーディオ信号ＲＲとを出力し、それぞれ加算部３６０−ＦＬ、３６０−ＲＲに出力する。これにより、遅延増幅部３５０−ＦＬＲＲは、受聴者の左側に音像を生成するオーディオ信号ＦＬ、ＲＲを生成する。また、遅延増幅部３５０−ＲＲＲＬは、加算部３１０から出力された合成オーディオ信号が入力され、オーディオ信号ＲＲとオーディオ信号ＲＬとを出力し、それぞれ加算部３６０−ＲＲ、３６０−ＲＬに出力する。これにより、遅延増幅部３５０−ＲＲＲＬは、受聴者の後方に音像を生成するオーディオ信号ＲＲ、ＲＬを生成する。そして、遅延増幅部３５０−ＲＬＦＲは、加算部３１０から出力された合成オーディオ信号が入力され、オーディオ信号ＲＬとオーディオ信号ＦＲとを出力し、それぞれ加算部３６０−ＲＬ、３６０−ＦＲに出力する。これにより、遅延増幅部３５０−ＲＬＦＲは、受聴者の右側に音像を生成するオーディオ信号ＲＬ、ＦＲを生成する。
【００４９】
そして、加算部３６０−ＦＲは、入力されるオーディオ信号ＦＲを加算して出力する。加算部３６０−ＦＬ、３６０−ＲＲ、３６０−ＲＬについても同様に、入力されるオーディオ信号ＦＬ、ＲＲ、ＲＬを各々加算して出力する。このように、１つの音像ごとにタップを用いる構成として、オーディオ信号に空間反射音を付与するようにしてもよい。
【００５０】
＜変形例３＞
上述した実施形態において、加算部５０−Ｒとスピーカ２−Ｒとの間、および加算部５０−Ｌとスピーカ２−Ｌとの間に、ダイナミックレンジコントロール部を設けてもよい。このダイナミックレンジコントロール部は、加算部５０−Ｒ、５０−Ｌから出力されるオーディオ信号が入力され、この各オーディオ信号のダイナミックレンジを補正するように、振幅を調整して、スピーカ２−Ｒ、２−Ｌに供給する。なお、振幅を調整することによって、初期反射音生成部２０における増幅部２２０に設定される増幅率、または増幅部２２０の２つの増幅回路２２１に設定される増幅率の比を実質上変化させてしまい、音像の位置変化してしまう場合には、ダイナミックレンジの補正の態様に基づいて、各増幅回路２２１に設定される増幅率を補正するようにしてもよい。例えば、ダイナミックレンジの補正がダイナミックレンジを圧縮する補正である場合に、増幅部２２０の２つの増幅回路２２１に設定される増幅率の比が実質上小さくなって、音像の位置が変化してしまう場合があるから、このような場合には、ダイナミックレンジの補正後に所望の増幅率の比となるように、２つの増幅回路２２１に設定される増幅率の比を大きくするような補正をするようにすればよい。
【図面の簡単な説明】
【００５１】
【図１】実施形態に係る音響処理装置の構成を示すブロック図である。
【図２】実施形態に係る初期反射音生成部の構成を示すブロック図である。
【図３】実施形態に係る初期反射音の音像を示す説明図である。
【図４】実施形態に係る空間反射音生成部の構成を示すブロック図である。
【図５】実施形態に係るクロストークキャンセル部の構成を示すブロック図である。
【図６】変形例２に係る空間反射音生成部の構成を示すブロック図である。
【符号の説明】
【００５２】
１…音響処理装置、２−Ｒ，２−Ｌ…スピーカ、３…受聴者、４…音像、１０…信号入力部、２０…初期反射音生成部、３０…空間反射音生成部、４０…クロストークキャンセル部、５０−Ｒ，５０−Ｌ…加算部、６０…記憶部、２１０，２１０−Ｒ１，２１０−Ｒ２，２１０−Ｌ１，２１０−Ｌ２…遅延部、２２０，２２０−Ｒ１，２２０−Ｒ２，２２０−Ｌ１，２２０−Ｌ２，２５０−Ｒ，２５０−Ｌ…増幅部、２２１−Ｒ１Ｒ，２２１−Ｒ１Ｌ…増幅回路、２３０−Ｒ，２３０−Ｌ…加算部、３１０…加算部、３２０−ＦＲ，３２０−ＦＬ，３２０−ＲＲ，３２０−ＲＬ…遅延増幅部、３２１−ＦＲ…遅延回路、３２２−ＦＲ…増幅回路、３２３−ＦＲ…加算部、３５０−ＦＲＦＬ，３５０−ＦＬＲＲ，３５０−ＲＲＲＬ，３５０−ＲＬＦＲ…遅延増幅部、３５１−ＦＲＦＬ…遅延回路、３５２−ＦＲ，３５２−ＦＬ…増幅回路、３５３−ＦＲ，３５３−ＦＬ…加算部、３６０−ＦＲ，３６０−ＦＬ，３６０−ＲＲ，３６０−ＲＬ…加算部、４１０−Ｒ，４１０−Ｌ…遅延回路、４２０−Ｒ，４２０−Ｌ…パラメトリックイコライザ、４３０−Ｒ，４３０−Ｌ，４３０−ＲＲ，４３０−ＲＬ…増幅回路、４４０−ＲＲ，４４０−ＲＬ…加算部。
【図１】
2009134128.tif 000003
【図２】
2009134128.tif 000004
【図３】
2009134128.tif 000005
【図４】
2009134128.tif 000006
【図５】
2009134128.tif 000007
【図６】
2009134128.tif 000008